(57)【要約】  ２以上の異なる周波数における誘電率又は静電容量を求め、該誘電率又は静電容量の値に基づいて潤滑油の劣化・変質状態を判断する方法であって、前記２以上の周波数のうちの一つの周波数（Ｈ1）を１〜１００Ｈｚの範囲、他の一つの周波数（Ｈ2）を（Ｈ1）を超え１０，０００Ｈｚ以下の範囲とすることにより、簡易かつ正確に潤滑油の劣化・変質の程度を測定することができると同時に、その劣化・変質機構を予測できる潤滑油の劣化・変質度測定方法及び測定装置を提供することができる。
2011065340.tif 000002
【特許請求の範囲】
【請求項１】
２以上の異なる周波数における誘電率又は静電容量を求め、該誘電率又は静電容量の値に基づいて前記潤滑油の劣化・変質状態を判断する潤滑油の劣化・変質度測定方法であって、前記２以上の周波数のうちの一つの周波数（Ｈ1）が１〜１００Ｈｚの範囲であり、他の一つの周波数（Ｈ2）が（Ｈ1）を超え１０，０００Ｈｚ以下の範囲であることを特徴とする潤滑油の劣化・変質度測定方法。
【請求項２】
前記周波数（Ｈ1）が５〜８０Ｈｚの範囲であり、周波数（Ｈ2）が（Ｈ1）を超え１，０００Ｈｚ以下の範囲である請求項１記載の潤滑油の劣化・変質度測定方法、
【請求項３】
前記周波数（Ｈ1）における誘電率（ε1）又は静電容量（Ｃ1）と周波数（Ｈ2）における誘電率（ε2）又は静電容量（Ｃ2）とを求め、（ε1）若しくは（Ｃ1）又は（ε2）若しくは（Ｃ2）の値が設定値に到達した場合を潤滑油が劣化・変質したと判断し、前記周波数に対する誘電率の変化の割合〔（ε1−ε2）／（Ｈ2−Ｈ1）〕又は静電容量の変化の割合〔（Ｃ1−Ｃ2）／（Ｈ2−Ｈ1）〕に基づいて潤滑油の劣化・変質機構を予測することを特徴とする請求項１又は２に記載の潤滑油の劣化・変質度測定方法。
【請求項４】
一対の電極、該一対の電極間に１００Ｈｚ以下の領域まで周波数を制御して交流電圧を印加する交流電源、及び前記一対の電極間の静電容量を測定する静電容量測定回路を有する静電容量測定部を具備することを特徴とする潤滑油の劣化・変質度測定装置。
【請求項５】
さらに、前記静電容量測定部で得られた静電容量に基づき誘電率を算出する誘電率算出回路を有する誘電率算出部を具備する請求項４記載の潤滑油の劣化・変質度測定装置。
【請求項６】
前記一対の電極が櫛型電極である請求項４又は５記載の潤滑油の劣化・変質度測定装置。
【請求項７】
請求項４〜６のいずれかに記載の潤滑油の劣化・変質度測定装置を用いてなることを特徴とする機械・装置における潤滑油監視システム。
【発明の詳細な説明】
【技術分野】
【０００１】
本発明は、潤滑油の劣化・変質度測定方法等に関し、詳しくは、潤滑油の劣化・変質の程度を測定するとともに劣化・変質機構を予測することができる潤滑油の劣化・変質度測定方法及びその測定装置に関するものである。
【背景技術】
【０００２】
潤滑油の劣化・変質度は、それを使用する機械・装置などの性能や耐久性、さらには省エネルギー性能などに大きな影響を与える。また、潤滑油の劣化・変質の進行速度は、潤滑油が使用される条件によって著しく異なる。したがって、潤滑油の劣化・変質状態は、簡易かつ正確に測定できる必要がある。
従来、エンジンオイルなどの潤滑油の劣化・変質度の測定は、潤滑油の使用時間を目安とする方法や、潤滑油の性状（例えば、動粘度、不溶解分、酸価、塩基価など）を測定し、その結果から判断する方法などが行われていた。しかしこれらの方法は、潤滑油の劣化・変質度を簡易かつ正確に測定できるものではなかった。【０００３】
上記問題に対して、例えば特許文献１には、オイルパン中に抵抗センサーを取り付け、エンジンオイルの電気抵抗の変化により潤滑油の寿命を測定する方法が開示されている。また、オイルパン中にｐＨセンサーを設置し、オイルの酸性、塩基性度の変化に伴うｐＨの変化から潤滑油の寿命を測定する方法も多数開示されている。
これらの方法は、潤滑油における電気抵抗の変化やｐＨの変化を常時確認することができ、電気抵抗やｐＨの変化率が所定の値や状況に達した時点で寿命と判断することができる点で簡易な方法である。
しかしながら、前記電気抵抗は、潤滑油の劣化・変質にともなって発生する極性物質ではないスーツ（カーボン）の混入によっても変動するため、潤滑油の劣化・変質度が正確に測定できないことがある。また、前記ｐＨは劣化・変質の程度を表しているとしても、これにより潤滑油が劣化・変質した原因（劣化・変質機構）を判断する手がかりを得ることができない。したがって潤滑油の劣化・変質を管理する上では問題があった。【０００４】
近年、潤滑油のインピーダンスを測定することによって潤滑油の劣化・変質度を測定し、また、スーツ混入による影響についても究明しようとする研究が進められている。
例えば、非特許文献１では、周波数２０Ｈｚ〜６００ｋＨｚの広い領域における潤滑油のインピーダンスを測定し、スーツやディーゼルの混入によるインピーダンスの変化を、レジスタンス（抵抗成分）とリアクタンス（容量成分）とに分けて検討している。しかし、この検討結果からは、スーツやディーゼル濃度とインピーダンスとの関係は、明確には解明されていない。【０００５】
また、特許文献２では、オイルの複素インピーダンスを測定し、その逆数の実部を抵抗成分とみなして導電率を求め、複素インピーダンスの逆数の虚部を容量成分とみなして誘電率を求めて、導電率と誘電率からオイルの劣化・変質を検出する装置が開示されている。
しかしながら、この特許文献２に記載の方法では、誘電率の測定値から劣化・変質度を正確に測定し、かつ潤滑油劣化・変質機構（劣化・変質原因）を解析することは困難である。
また、非特許文献１や特許文献２に開示されているインピーダンスを測定する装置は、測定回路が複雑になり、極めて高価な装置となるという問題もある。
【先行技術文献】
【特許文献】
【０００６】
【特許文献１】特開平１０−７８４０２号公報
【特許文献２】特開２００９−２６９３号公報
【非特許文献】
【０００７】
【非特許文献１】Sensors and Actuators, B127(2007), 613-818
【発明の概要】
【発明が解決しようとする課題】
【０００８】
本発明は、このような状況下で、簡易かつ正確に潤滑油の劣化・変質の程度を測定することができると同時に、その劣化・変質機構を予測することができる潤滑油の劣化・変質度測定方法及びその測定装置を提供することを目的とする。
【課題を解決するための手段】
【０００９】
本発明者らは、前記目的を達成するために鋭意研究を重ねた結果、潤滑油の特定の低周波数領域における誘電率及び静電容量が、潤滑油の劣化・変質によって発生する極性物質の量に応じて変化すること、並びに潤滑油の周波数に対する誘電率又は静電容量の変化の状況が潤滑油の劣化・変質機構（劣化・変質原因）に関わる情報を与えていることを見出した。本発明はかかる知見に基づいて完成したものである。【００１０】
すなわち、本発明は、
[１] ２以上の異なる周波数における誘電率又は静電容量を求め、該誘電率又は静電容量の値に基づいて潤滑油の劣化・変質状態を判断する潤滑油の劣化・変質度測定方法であって、前記２以上の周波数のうちの一つの周波数（Ｈ1）が１〜１００Ｈｚの範囲であり、他の一つの周波数（Ｈ2）が（Ｈ1）を超え１０，０００Ｈｚ以下の範囲であることを特徴とする潤滑油の劣化・変質度測定方法、
[２]周波数（Ｈ1）が５〜８０Ｈｚの範囲であり、周波数（Ｈ2）が（Ｈ1）を超え１，０００Ｈｚ以下の範囲であることを特徴とする上記[１]記載の潤滑油の劣化・変質度測定方法、
[３] 前記周波数（Ｈ1）における誘電率（ε1）又は静電容量（Ｃ1）と周波数（Ｈ2）における誘電率（ε2）又は静電容量（Ｃ2）とを求め、（ε1）若しくは（Ｃ1）又は（ε2）若しくは（Ｃ2）の値が設定値に到達した場合を潤滑油が劣化・変質したと判断し、前記周波数に対する誘電率の変化の割合〔（ε1−ε2）／（Ｈ2−Ｈ1）〕又は静電容量の変化の割合〔（Ｃ1−Ｃ2）／（Ｈ2−Ｈ1）〕に基づいて潤滑油の劣化・変質機構を予測することを特徴とする上記[１]又は[２]に記載の潤滑油の劣化・変質度測定方法、
[４]一対の電極、該電極間に１００Ｈｚ以下の領域まで周波数を制御して交流電圧を印加する交流電源、及び前記一対の電極間の静電容量を測定する静電容量測定回路を有する静電容量測定部を具備する潤滑油の劣化・変質度測定装置、
[５]さらに、前記静電容量測定回路で得られた静電容量に基づき誘電率を算出する誘電率算出回路を有する誘電率測定部を具備する上記[４]記載の潤滑油の劣化・変質度測定装置、
[６]前記一対の電極が櫛型電極である上記[４]又は[５]記載の潤滑油の劣化・変質度測定装置、
[７]上記[４]〜[６]のいずれかに記載の潤滑油の劣化・変質度測定装置を用いてなることを特徴とする機械・装置における潤滑油監視システム、
を提供するものである。
【発明の効果】
【００１１】
本発明によれば、簡易かつ正確に潤滑油の劣化・変質の程度を測定することができると同時に、その劣化・変質機構を予測することができる潤滑油の劣化・変質度測定方法を提供することができる。
【図面の簡単な説明】
【００１２】
【図１】実施例で用いた潤滑油の容量成分（静電容量）と周波数の関係を示す図（グラフ）である。
【図２】比較例で用いた潤滑油の抵抗成分と周波数の関係を示す図（グラフ）である。
【図３】本発明の潤滑油の劣化・変質度測定装置（静電容量測定部及び誘電率算出部）の一例を示す概念図である。
【図４】本発明の潤滑油の劣化・変質度測定装置（静電容量測定部及び誘電率算出部）の他の一例を示す概念図である。
【発明を実施するための形態】
【００１３】
本発明は、２以上の異なる周波数における潤滑油の誘電率又は静電容量を測定し、該誘電率又は静電容量の値に基づいて潤滑油の劣化・変質状態を判断することを特徴とする潤滑油の劣化・変質度測定方法である。
本発明における「潤滑油の劣化・変質状態の判断」とは、潤滑油の劣化・変質の程度を測定すると同時に、劣化・変質機構（劣化・変質原因）を推定することを言う。この両者によって、使用されている潤滑油の寿命を正確に予測することができ、適切な潤滑油管理を行うことができる。
本発明では、上記潤滑油の劣化・変質状態を判断する手段として、２以上の異なる周波数における潤滑油の誘電率又は静電容量を測定する。
なお、上記における「２以上」には、「２」である場合及び「３以上である場合」が含まれ、その測定数の上限は特に制限はない。すなわち、周波数Ｈ1，Ｈ2・・・・Ｈnにおける静電容量Ｃ1，Ｃ2・・・Ｃnを測定し、それに基づいて誘電率ε1，ε2・・・εnを求める。
このように２以上の異なる周波数における潤滑油の誘電率又は静電容量を測定すれば、周波数の変化に対する誘電率又は静電容量の変化の割合を測定することができ、後述するように、潤滑油の劣化・変質状態を予測することができる。また、３以上の異なる周波数で測定すれば、周波数に対する誘電率又は静電容量の変化をより広く正確に把握することができる。
【００１４】
前記２以上の異なる周波数Ｈ1，Ｈ2・・・・Ｈnのうち、少なくとも一つの周波数（通常最も低い周波数）（Ｈ1）が、１〜１００Ｈｚの範囲であることが必要である。この周波数（Ｈ1）が１００Ｈｚを越えると、潤滑油の劣化・変質によって生成する極性物質の濃度に応じて変化する誘電率又は静電容量の変化が充分でないことがあるため、潤滑油間の劣化・変質状態を正確に区別して判断することができない。したがって周波数（Ｈ1）は、８０Ｈｚ以下であることが好ましく、６０Ｈｚ以下であることがより好ましい。
これに対し、周波数（Ｈ1）が１Ｈｚ未満になると、測定する誘電率や静電容量の値が安定せず、測定にかなりの時間を要する上、ノイズも多いため再現性のある測定値が得られない。したがって、周波数（Ｈ1）は、５Ｈｚ以上であることが好ましく、１０Ｈｚ以上であることがより好ましい。
また、上記から２以上の異なる周波数の少なくとも一つの周波数（Ｈ1）は、５〜８０Ｈｚの範囲であることが好ましく、１０〜６０Ｈｚの範囲であることがより好ましい。
一方、（Ｈ1）以外の他の周波数（Ｈ2）は、前記（Ｈ1）より周波数が大きく、１０，０００Ｈｚ以下の範囲であることが必要である。周波数が１０，０００Ｈｚを越えると潤滑油の劣化・変質によって生成する極性物質の濃度に応じて変化する誘電率又は静電容量の変化が充分でないことがあるため、潤滑油間の劣化・変質状態を正確に区別して判断することができない。したがって、（Ｈ2）の周波数は周波数が１０，０００Ｈｚ未満であることが好ましく、１，０００Ｈｚ以下であることがより好ましく、５００Ｈｚ以下であることがさらに好ましく、２００Ｈｚ以下であることが特に好ましい。
なお、３以上の異なる周波数における誘電率等を測定する場合の周波数（Ｈ3）・・（Ｈn）の範囲は、（Ｈ2）を超え１０，０００Ｈｚ以下、好ましくは１，０００Ｈｚ以下の範囲で選択すればよい。
【００１５】
本発明においては、２以上の異なる周波数における誘電率又は静電容量の値に基づいて潤滑油の劣化・変質状態を判断する。
例えば、２以上周波数のうち２つの周波数に着目し以下のように判断することができる。すなわち周波数が１〜１００Ｈｚの範囲の周波数（Ｈ1）における誘電率（ε1）又は静電容量（Ｃ1）と、１０，０００Ｈｚ以下の領域で、前記周波数（Ｈ1）より大きい周波数（Ｈ2）における誘電率（ε2）又は静電容量（Ｃ2）とを求め、（ε1）若しくは（Ｃ1）又は（ε2）若しくは（Ｃ2）の値、及び周波数に対する誘電率の変化の割合〔（ε1−ε2）／（Ｈ2−Ｈ1）〕又は静電容量の変化の割合〔（Ｃ1−Ｃ2）／（Ｈ2−Ｈ1）〕に基づいて潤滑油の劣化・変質状態を判断する。
【００１６】
前記のとおり、劣化・変質状態の判断とは、劣化・変質の程度を判断し、かつ劣化・変質機構（劣化・変質原因）を予測することであるが、劣化・変質の程度の判断は、通常（ε1）若しくは（Ｃ1）の値によって行うことが好ましい。通常、測定した周波数の中で最も小さい周波数における誘電率又は静電容量が最も大きい値を示し、誘電率又は静電容量の経時変化を正確に認識できるからである。しかし、場合によっては（ε2）や（Ｙ2）であってもよいし、（ε2）・・（εn）や（Ｃ3）・・（Ｃn）であってもよい。
そして劣化・変質の程度は、（ε1）や（Ｃ1）の誘電率、静電容量の値が大きいほど潤滑油の劣化・変質が進んでいると判断する。誘電率又は静電容量の値は、潤滑油の劣化・変質によって生成及び混入した極性物質（主として酸化・熱劣化して生成した極性物質及び潤滑油中に混入した極性物質）の量に対応して変化するからである。
上記周波数（Ｈ1）における誘電率（ε1）又は静電容量（Ｙ1）の値から得られた潤滑油の劣化・変質度（劣化・変質の程度）に基づいて、潤滑油の寿命を予測する方法としては、例えば、（ε1）や（Ｙ1）の値が予め規格エンジン試験の前後油での測定のような予備実験で定めた設定値に達した時点で劣化・変質したと推定し、また使用される潤滑油の周波数（Ｈ1）における誘電率（ε1）又は静電容量（Ｙ1）の経時変化を外挿し前記設定値までの期間を残存寿命として推定してもよい。
【００１７】
次に、２以上の異なる周波数における誘電率又は静電容量の値に基づいて潤滑油の劣化・変質機構（劣化・変質原因）を予測する方法について説明する。
２以上の異なる周波数における誘電率又は静電容量の値に基づいて潤滑油の劣化・変質機構（劣化・変質原因）を予測する方法としては、周波数に対する誘電率又は静電容量の変化の割合（大きさ）に基づいて潤滑油の劣化・変質状態を判断する方法が挙げられる。
具体的には、例えば、周波数に対する誘電率の変化の割合〔（ε1−ε2）／（Ｈ2−Ｈ1）〕又は静電容量の変化の割合〔（Ｃ1−Ｃ2）／（Ｈ2−Ｈ1）〕に着目する。
〔（ε1−ε2）／（Ｈ2−Ｈ1）〕や〔（Ｃ1−Ｃ2）／（Ｈ2−Ｈ1）〕が通常よりかなり大きい（通常に比べ２００％を超える）場合は、潤滑油の劣化・変質によって生成される極性物質には酸化劣化して生成されたもの以外に他の要因により発生した極性物質が混入したと推測される（劣化・変質状態Ｉ）。このような劣化・変質機構は、ガソリンエンジンに使用されるガソリンエンジン油に認められることが確かめられている。
これに対し、〔（ε1−ε2）／（Ｈ2−Ｈ1）〕や〔（Ｃ1−Ｃ2）／（Ｈ2−Ｈ1）〕が通常よりそれほど大きくはない（通常より２００％以内）が、潤滑油の粘度上昇や色相の悪化が認められる場合は、潤滑油の劣化・変質による極性物質には酸化劣化して生成されたもの以外に他の非極性物質又は弱極性物質が混入したことが予測される（劣化・変質状態II）。このような劣化・変質機構による劣化・変質は、ディーゼルエンジンに使用されるディーゼルエンジン油にスーツが混入した場合に認められる。このような場合は、エンジン内の燃焼状態の調整やスーツの捕捉装置の改善などを含めて対策を講ずる必要があることを示している。
なお、周波数に対する誘電率又は静電容量の変化の割合が大きいか否かの判断基準は、異なる種類の規格エンジン試験の前後油からの計算値を比較するような、予備実験を行って設定すればよい。また、このような場合は、測定装置中に粘度計や色相計を備えておくことが好ましい。
このようにして、潤滑油の劣化・変質機構を判断することができる。なお、本発明においては、上記潤滑油の劣化・変質機構を判断するために前記誘電率又は静電容量以外の特性を測定し、それらの特性を加味して劣化・変質機構を判断してもよい。
【００１８】
次に、本発明の誘電率又は静電容量を測定するのに好適な測定装置について説明する。
図３は、本発明の潤滑油の劣化・変質度測定方法に用いられる潤滑油の劣化・変質度測定装置の一例を示す概念図である。
この潤滑油の劣化・変質度測定装置は、一対の電極１、該一対の電極間に周波数を１００Ｈｚ以下の領域まで制御できる交流電圧を印加する交流電源２ａ、及び当該電極間の静電容量を測定する静電容量測定回路２ｂを有する静電容量測定部２を具備する潤滑油の劣化・変質度測定装置であり、この測定装置は、さらに前記静電容量測定部２で得られた静電容量に基づいて誘電率を算出する誘電率算出回路３ａを有する誘電率算出部３を具備していてもよい。
前記交流電源２ａは、１０Ｈｚ以下の領域まで制御できるものが好ましく、１Ｈｚまで制御できるものがより好ましい。
潤滑油の静電容量の測定方法や誘電率の算出方法としては、まず一対の電極１を潤滑油に浸漬し、静電容量測定部２の交流電源２ａにより目的の周波数Ｈ1の交流電圧を電極間に印加し、静電容量測定回路２ｂで電極間の静電容量Ｃ1を測定する。次いで必要に応じて誘電率算出回路３ａにて静電容量Ｃ1を誘電率ε1に変換する。同様にして異なる周波数Ｈ2における静電容量Ｃ2を測定し、同様に誘電率ε2を算出する。なお、誘電率εと静電容量Ｃは、下記（Ｉ）式の関係にある。
ε＝Ｃ  ×  ｄ／ｓ      ・・・（Ｉ）
（式中、ｄは一対の電極間の距離、ｓは電極の表面積を示す。）
また、上記静電容量の測定における測定電圧は、０．１〜１０Ｖp-pの範囲とすることが好ましい。
【００１９】
図３における一対の電極１としては、櫛型電極が好ましく、特に櫛型微小電極が好適である。また、静電容量測定部２、誘電率算出部３としては、ＬＣＲメーター，又はＣメーターを用いることができる。
このように潤滑油の静電容量Ｃを直接測定し、またその静電容量Ｃの値から誘電率εを算出する方法であれば、簡素な装置であるから、安価かつ簡易に、しかも高い精度で潤滑油の静電容量や誘電率を測定、算出することができる。
特に、一対の電極１として、櫛型電極を用いた場合は評価装置が極めて小型化できるため、試料油（潤滑油）を微量採取するのみで潤滑油の劣化・変質度を測定できる効果があり、また測定に際し、試料油を観察することが容易であるため、試料油の外観（色）や臭いからも、潤滑油の劣化・変質程度や劣化・変質機構に関する補足情報を得ることができる効果もある。
【００２０】
図４は、本発明の劣化・変質度測定方法を実施するために用いる潤滑油の劣化・変質度測定装置の他の例を示す概念図である。
当該測定装置は、一対の電極１１、周波数を１Ｈｚ域まで制御できる交流電源１２、電流計１３、電圧計１４、並びに複素インピーダンス算出回路１５ａと静電容量算出回路１５ｂを有する静電容量測定部１５を具備する潤滑油の劣化・変質度測定装置であり、この測定装置は、さらに誘電率算出回路１６ａを有する誘電率算出部１６を具備していてもよい。
静電容量又は誘電率を測定、算出する方法としては、まず一対の電極１１を潤滑油に浸漬させ、周波数を１Ｈｚまで制御できる交流電源１２により、電極間に周波数Ｈ1の交流電圧を印加する。次いで、電流計、電圧計で測定した電流Ｉ、電圧Ｖ及び電流と電圧の位相差から複素インピーダンス算出回路１５ａにて潤滑油の複素インピーダンスを算出し、静電容量算出回路１５ｂでそのインピーダンスを構成する実数部分（抵抗成分）ＺRと虚数部分（リアクタンス）ＺCのうち、虚数部分（リアクタンス）ＺCの値から容量成分（すなわち静電容量）Ｃ1を算出する（下記式（II）参照）。次いで必要に応じて誘電率算出回路１６ａにて静電容量Ｃ1の値から誘電率ε1を算出する。また、同様にして周波数Ｈ2におけるは静電容量Ｃ2を測定する。
Ｚ  ＝  Ｖ／Ｉ
＝ＺR  ＋  ＺC ＝  Ｒ  ＋  １／ｊωＣ      ・・・（II）
（式中、Ｚはインピーダンス、ＺRは抵抗成分、ＺCはインピーダンスの虚数部分、Ｒは抵抗値、ｊは虚数単位、ωは交流の角振動数、Ｃは静電容量を表す。）
上記静電容量の測定における測定電圧は０．１〜１０Ｖp-pの範囲とすることが好ましい。
【００２１】
本発明の実施に用いる上記のような潤滑油の劣化・変質度測定装置は、エンジンなどの機械・装置の運転監視システムの一部に組み込んで、潤滑油の劣化・変質状態を常時監視することができる。したがって機械・装置における潤滑油監視システムとして用いることができる。
【実施例】
【００２２】
本発明の実施例をさらに説明するが、本発明はこれらの例によって何ら限定されるものではない。
〔実施例〕
図４に示す潤滑油の劣化・変質度測定装置（静電容量測定部及び誘電率算出部）を用い、下記の測定条件にて、下記の試料油（ｉ）〜（ｖ）（新油、及び劣化・変質油）について周波数が４０、１００、１５０，１０００、及び１０，０００Ｈｚにおける容量成分〔静電容量（ｐＦ）〕を測定した。その結果を、周波数に対する容量成分（静電容量）の変化として図１に示す。
（測定条件）
・電極：櫛型微小電極
・測定電圧：１Ｖp-p
（測定試料）
（ｉ）潤滑油Ａ新油（無灰エンジン油）
（ii）潤滑油Ｂ新油（ＣＤクラスディーゼルエンジン油）
（iii）潤滑油Ａ劣化油（ＧＥ）〔ガソリンエンジン（ＧＥ）に使用し劣化させたもの：極性物質混入〕
（iv）潤滑油Ａ劣化油（ＤＥ）〔ディーゼルエンジン（ＤＥ）に使用し劣化させたもの：すす混入〕
（ｖ）潤滑油Ｂ劣化油（ＤＥ）〔ディーゼルエンジン（ＤＥ）に使用し劣化させたもの：すす混入〕
また、周波数４０Ｈｚ及び１００Ｈｚにおける容量成分（静電容量）を（Ｃ40）及び（Ｃ100）としたとき、周波数に対する容量成分の変化の割合を下記の式で計算した。
周波数に対する容量成分（静電容量）の変化の割合（％）
＝〔（Ｃ40−Ｃ100）／（１００−４０）〕×１００
また同様に、周波数４０Ｈｚ及び１００Ｈｚにおける容量成分から求めた誘電率をε40及びε100としたとき、周波数に対する誘電率の変化の割合は下記の式により計算することができる。
周波数に対する誘電率の変化の割合（％）
＝〔（ε40−ε100）／（１００−４０）〕×１００
ここでは、前記周波数に対する容量成分の変化の割合の結果を表１に示す。
【００２３】
【表１】
2011065340.tif 000003
【００２４】
図１及び表１より、以下のことがわかる。
試料油（ｉ）及び試料油（ii）は、組成が異なるが、その容量成分（静電容量）は周波数４０〜１０，０００Ｈｚに亘って差異がなく、いずれの劣化・変質油より小さい。
また、同じ潤滑油Ａであってもガソリンエンジンで劣化・変質させることによって、劣化・変質生成物である極性物質が混入した試料油（iii）と、ディーゼルエンジンで劣化・変質させることによる劣化・変質生成物である極性物質以外にすすが混入した試料油（iv）とは、周波数に対する容量成分（静電容量）の変化の割合が異なり、前者が大きく、後者が小さい。また、試料油（ii）である潤滑油Ｂ新油を試料油（iv）と同様のディーゼルエンジンで劣化・変質した試料油（ｖ）の潤滑油Ｂ劣化・変質油も、試料油（iv）と同様の周波数に対する容量成分（静電容量）の変化の割合を示す。
したがって、周波数の変化に対する容量成分（静電容量）の変化の割合から、潤滑油の劣化・変質機構（劣化・変質原因）を予測することができる。
また、図１に示した、４０Ｈｚ及び１００Ｈｚ以外の２以上の周波数における容量成分（静電容量）の変化の割合の相違からも、潤滑油の劣化・変質機構（劣化・変質原因）を予測することができることがわかる。【００２５】
〔比較例〕
実施例で用いた試料油について、実施例の容量成分（静電容量）に代えて、インピーダンスの抵抗成分（Ω）を測定した。その結果を周波数に対する抵抗成分の変化として図２に示す。測定装置、電圧、測定した周波数、及び用いた試料油は実施例と同じである。
図２に示すように、試料油（ｉ）〜試料油（ｖ）の潤滑油の新油、劣化・変質油とも周波数に対する抵抗成分の変化に明確な差異は認められない。したがって、この方法によっては潤滑油の劣化・変質機構を予測することができないことがわかる。【００２６】
さらに実施例の図１及び比較例の図２から、以下のことがわかる。
（１）潤滑油の劣化・変質の程度は、その潤滑油について測定したインピーダンスの容量成分（静電容量）に表れるが、抵抗成分には表れない。
（２）潤滑油の劣化・変質の程度は、より低周波数領域の前記容量成分（静電容量）、特に１〜１００Ｈｚの範囲の領域における前記容量成分（静電容量）に明確に表れる。
（３）潤滑油の新油についての前記容量成分（静電容量）では、潤滑油の違いによる差は殆ど認められない。
（４）同じ潤滑油であっても、劣化・変質条件が異なれば各々の前記容量成分（静電容量）の挙動（静電容量の大きさや周波数の変化による静電容量の変化）が異なる。
（５）同じ劣化・変質条件でも、潤滑油によって劣化・変質状態が異なる。
以上のことから、２以上の異なる特定の周波数における容量成分（静電容量）又は該静電容量から算出される誘電率を測定することによって、潤滑油の劣化・変質の程度及び劣化・変質機構の予測をすることができる。
【産業上の利用可能性】
【００２７】
本発明の潤滑油の劣化・変質度測定方法によれば、簡易かつ正確に潤滑油の劣化・変質の程度を測定することができると同時に、その劣化・変質機構（劣化・変質原因）を予測することができる。また、本発明の潤滑油の劣化・変質度測定装置は、微量の試料油でも劣化・変質状態を判断でき、さらに、自動車エンジンなど機械・装置に設置して潤滑管理システムとしても有効に利用することができる。
【図１】
2011065340.tif 000004
【図２】
2011065340.tif 000005
【図３】
2011065340.tif 000006
【図４】
2011065340.tif 000007
【国際調査報告】
2011065340.tif 000008
2011065340.tif 000009
2011065340.tif 000010
2011065340.tif 000011